(57)【要約】      （修正有）【課題】非吸収性の記録メディアに付着させたインクのドット径が大きいインク、そのインクを用いるインクジェット記録方法、及びそのインクが付着した記録メディアの提供。【解決手段】水不溶性の着色剤、分散剤、インクの総質量に対して、それぞれ１３〜４０質量％のグリコールエーテル、及び０．５より多く５質量％未満の式（１）で表される化合物を含有するインク。2017203097.tif 000007【選択図】なし【特許請求の範囲】
【請求項１】
水不溶性の着色剤、分散剤、インクの総質量に対して１３質量％より多く４０質量％以下のグリコールエーテル、及びインクの総質量に対して０．５質量％より多く５質量％未満の下記式（１）で表される化合物を含有するインク。
【化１】
2017203097.tif 000006
（式（１）中、Ｒ１は、ヒドロキシ基、ヒドロキシ基を有するアルコキシ基、アシロキシ基、又はアリールカルボニルオキシ基を表し、Ｒ２は水素原子又はアルキル基を表し、Ｒ３は水素原子又はアルキル基を表し、Ｒ４は水素原子、ヒドロキシ基、又はアルキル基を表し、Ｒ５はアルキル基をそれぞれ表す。）
【請求項２】
前記式（１）において、Ｒ１がヒドロキシ基又はヒドロキシ基を有するアルコキシ基である請求項１に記載のインク。
【請求項３】
前記式（１）において、Ｒ１がヒドロキシ基である請求項１に記載のインク。
【請求項４】
前記式（１）において、Ｒ１がヒドロキシ基であり、Ｒ２、Ｒ３及びＲ５がアルキル基であり、Ｒ４が水素原子又はヒドロキシ基である請求項１に記載のインク。
【請求項５】
戦記式（１）において、Ｒ１がヒドロキシ基であり、Ｒ２及びＲ５が分岐鎖アルキル基であり、Ｒ３が直鎖アルキル基であり、Ｒ４が水素原子又はヒドロキシ基である請求項１に記載のインク。
【請求項６】
前記分散剤の酸価が、９０ｍｇＫＯＨ／ｇ以上２００ｍｇＫＯＨ／ｇ以下である請求項１に記載のインク。
【請求項７】
前記分散剤の重量平均分子量が１００００〜６００００である請求項１又は６に記載のインク。
【請求項８】
前記の水不溶性の着色剤が、顔料又は分散染料である請求項１に記載のインク。
【請求項９】
前記グリコールエーテルが、エチレングリコールモノエチルエーテル、エチレングリコールモノブチルエーテル、ジエチレングリコールモノエチルエーテル及びジエチレングリコールモノブチルエーテルから選択されるグリコールエーテルである、請求項１に記載のインク。
【請求項１０】
前記グリコールエーテルが、ジエチレングリコールモノエチルエーテル及びジエチレングリコールモノブチルエーテルから選択されるグリコールエーテルである、請求項１に記載のインク。
【請求項１１】
前記グリコールエーテルが、ジエチレングリコールモノブチルエーテルである請求項１に記載のインク。
【請求項１２】
前記分散剤がＡ−Ｂブロックポリマーであり、Ａブロックを構成するモノマーがベンジルメタクリレートであり、Ｂブロックを構成するモノマーがアルキルメタクリレート及びメタクリル酸である、請求項１、６又は７のいずれか一項に記載のインク。
【請求項１３】
請求項１〜１２のいずれか一項に記載のインクの液滴を記録信号に応じて吐出させて、記録メディアに付着させることにより記録を行うインクジェット記録方法。
【請求項１４】
請求項１〜１２のいずれか一項に記載のインクが付着した記録メディア。
【請求項１５】
請求項１〜１２のいずれか一項に記載のインクを含有する容器を有するインクジェットプリンタ。
【発明の詳細な説明】
【技術分野】
【０００１】
本発明は、水性インク、そのインクを用いるインクジェット記録方法、及びそのインクが付着した記録メディアに関する。
【背景技術】
【０００２】
各種のカラー記録方法の中で、インクジェットプリンタを用いるインクジェット記録方法は、代表的方法の１つである。この方法は、インクの小滴を発生させ、これを紙等の記録メディアに付着させ記録を行う。近年では産業用インクジェット記録の需要が高まり、様々な記録メディアへ記録ができるインクジェット記録方法が求められている。
【０００３】
塩ビシート等に代表されるインク非吸収性メディアに対て用いられるインクとしては、有機溶剤を主成分とした溶剤インク、重合性モノマーを含有させたＵＶインク等が提案されてきた。しかしながら、これらのインクはＶＯＣや皮膚感作性のような、環境及び生物安全性上の問題が多い。このため、その用途が限定されることから、水性インクの開発が強く望まれてきた。
【０００４】
特許文献１及び２には、非吸収性の記録メディア上にも印字される水性インクが開示されている。
【先行技術文献】
【特許文献】
【０００５】
【特許文献１】特許第５５０４８９０号
【特許文献２】特許第５３４３３６６号
【発明の概要】
【発明が解決しようとする課題】
【０００６】
本発明は、非吸収性の記録メディアに付着させたインクのドット径が大きいインク、そのインクを用いるインクジェット記録方法、及びそのインクが付着した記録メディアの提供を課題とする。
【課題を解決するための手段】
【０００７】
本発明者らは、前記したような課題を解決すべく鋭意研究を重ねた結果、着色剤、それぞれ特定の量のグリコールエーテル及び下記式（１）で表される化合物を含有するインクにより、前記の課題を解決できることを見出し、本発明を完成させた。
【０００８】
即ち、本発明は以下の１）〜１５）に関する。
１）
水不溶性の着色剤、分散剤、インクの総質量に対して１３質量％より多く４０質量％以下のグリコールエーテル、及びインクの総質量に対して０．５質量％より多く５質量％未満の下記式（１）で表される化合物を含有するインク。
【０００９】
【化１】
2017203097.tif 000002
【００１０】
（式（１）中、Ｒ１は、ヒドロキシ基、ヒドロキシ基を有するアルコキシ基、アシロキシ基、又はアリールカルボニルオキシ基を表し、Ｒ２は水素原子又はアルキル基を表し、Ｒ３は水素原子又はアルキル基を表し、Ｒ４は水素原子、ヒドロキシ基、又はアルキル基を表し、Ｒ５はアルキル基をそれぞれ表す。）
２）
前記式（１）において、Ｒ１がヒドロキシ基又はヒドロキシ基を有するアルコキシ基である前記１）に記載のインク。
３）
前記式（１）において、Ｒ１がヒドロキシ基である前記１）に記載のインク。
４）
前記式（１）において、Ｒ１がヒドロキシ基であり、Ｒ２、Ｒ３及びＲ５がアルキル基であり、Ｒ４が水素原子又はヒドロキシ基である前記１）に記載のインク。
５）
戦記式（１）において、Ｒ１がヒドロキシ基であり、Ｒ２及びＲ５が分岐鎖アルキル基であり、Ｒ３が直鎖アルキル基であり、Ｒ４が水素原子又はヒドロキシ基である前記１）に記載のインク。
６）
前記分散剤の酸価が、９０ｍｇＫＯＨ／ｇ以上２００ｍｇＫＯＨ／ｇ以下である前記１）に記載のインク。
７）
前記分散剤の重量平均分子量が１００００〜６００００である前記１）又は６）に記載のインク。
８）
前記の水不溶性の着色剤が、顔料又は分散染料である前記１）に記載のインク。
９）
前記グリコールエーテルが、エチレングリコールモノエチルエーテル、エチレングリコールモノブチルエーテル、ジエチレングリコールモノエチルエーテル及びジエチレングリコールモノブチルエーテルから選択されるグリコールエーテルである、前記１）に記載のインク。
１０）
前記グリコールエーテルが、ジエチレングリコールモノエチルエーテル及びジエチレングリコールモノブチルエーテルから選択されるグリコールエーテルである、前記１）に記載のインク。
１１）
前記グリコールエーテルが、ジエチレングリコールモノブチルエーテルである前記１）に記載のインク。
１２）
前記の分散剤がＡ−Ｂブロックポリマーであり、Ａブロックを構成するモノマーがベンジルメタクリレートであり、Ｂブロックを構成するモノマーがアルキルメタクリレート及びメタクリル酸である、前記１）、６）又は７）のいずれか一項に記載のインク。
１３）
前記１）〜１２）のいずれか一項に記載のインクの液滴を記録信号に応じて吐出させて、記録メディアに付着させることにより記録を行うインクジェット記録方法。
１４）
前記１）〜１２）のいずれか一項に記載のインクが付着した記録メディア。
１５）
前記１）〜１２）のいずれか一項に記載のインクを含有する容器を有するインクジェットプリンタ。
【発明の効果】
【００１１】
本発明により、非吸収性の記録メディアに付着させたインクのドット径が大きいインク、そのインクを用いるインクジェット記録方法、及びそのインクが付着した記録メディアを提供できた。
【発明を実施するための形態】
【００１２】
本明細書において、「Ｃ．Ｉ．」とは、「カラーインデックス」を意味する。また、本明細書においては、実施例等も含めて「％」及び「部」は、特に断りのない限り、いずれも質量基準で記載する。
【００１３】
［水不溶性の着色剤］
本発明に使用される着色剤は、水不溶性の着色剤であれば特に限定されない。例えば、公知の顔料、分散染料、及び溶剤染料等が使用できる。本明細書において水不溶性の着色剤とは、２５℃の水１リットルに対する溶解度が通常５ｇ以下、好ましくは３ｇ以下、より好ましくは１ｇ以下、さらに好ましくは０．５ｇ以下の着色剤を意味する。溶解度の下限は０ｇを含む。
なお、特に断りのない限り「水不溶性の着色剤」を、以下「着色剤」という。
着色剤は併用することができる。前記インクが含有する着色剤の種類は通常３種類以上、黒インクのときは３〜５種類が好ましく、黒インク以外のカラーインクのときは通常３種類、好ましくは２種類、又は１種類である。但し、黒インクが着色剤としてカーボンブラックを含有するときは、着色剤の種類は２種類、又は１種類が好ましい。本明細書において、カラーインクとは黒インク以外の有色インク（例えばイエロー、マゼンタ、シアン、レッド、オレンジ、ブラウン、バイオレット、ブルー、グリーン等の各色のインク）を意味する。
また、顔料、分散染料、及び溶剤染料の中では顔料が好ましい。顔料としては、無機顔料、有機顔料、及び体質顔料等が挙げられる。
【００１４】
無機顔料としては、例えばカーボンブラック、金属酸化物、水酸化物、硫化物、フェロシアン化物、及び金属塩化物等が挙げられる。
【００１５】
黒インクが含有する着色剤としてはサーマルブラック、アセチレンブラック、オイルファーネスブラック、ガスファーネスブラック、ランプブラック、ガスブラック、及びチャンネルブラック等のカーボンブラックが好ましい。カーボンブラックの具体例としては、例えば、コロンビア・カーボン社製のＲａｖｅｎシリーズ；キャボット社製のＭｏｎａｒｃｈシリーズ、Ｒｅｇａｌシリーズ、及びＭｏｇｕｌシリーズ；オリオンエンジニアドカーボンズ社製のＣｏｌｏｒＢｌａｃｋシリーズ、Ｐｒｉｎｔｅｘシリーズ、ＳｐｅｃＩａｌＢｌａｃｋシリーズ、及びＮｅｒｏｘシリーズ；三菱化学社製のＭＡシリーズ、ＭＣＦシリーズ、Ｎｏ．２５、Ｎｏ．３３、Ｎｏ．４０、Ｎｏ．４７、Ｎｏ．５２、Ｎｏ．９００、及びＮｏ．２３００等が挙げられる。
【００１６】
有機顔料として、例えばアゾ、ジアゾ、フタロシアニン、キナクリドン、イソインドリノン、ジオキサジン、ペリレン、ペリノン、チオインジゴ、アンソラキノン、及びキノフタロン等の各種の顔料が挙げられる。
【００１７】
有機顔料の具体例としては、例えばＣ．Ｉ．Ｐｉｇｍｅｎｔ  Ｙｅｌｌｏｗ  １、２、３、１２、１３、１４、１６、１７、２４、５５、７３、７４、７５、８３、９３、９４、９５、９７、９８、１０８、１１４、１２８、１２９、１３８、１３９、１５０、１５１、１５４、１８０、１８５、１９３、１９９、２０２、２１３等のイエロー；Ｃ．Ｉ．Ｐｉｇｍｅｎｔ  Ｒｅｄ  ５、７、１２、４８、４８：１、５７、８８、１１２、１２２、１２３、１４６、１４９、１５０、１６６、１６８、１７７、１７８、１７９、１８４、１８５、２０２、２０６、２０７、２５４、２５５、２５７、２６０、２６４、２７２等のレッド；Ｃ．Ｉ．Ｐｉｇｍｅｎｔ  Ｂｌｕｅ  １、２、３、１５、１５：１、１５：２、１５：３、１５：４、１５：６、１６、２２、２５、６０、６６、８０等のブルー；Ｃ．Ｉ．Ｐｉｇｍｅｎｔ  Ｖｉｏｌｅｔ  １９、２３、２９、３７、３８、５０等のバイオレット；Ｃ．Ｉ．Ｐｉｇｍｅｎｔ  Ｏｒａｎｇｅ  １３、１６、６８、６９、７１、７３等のオレンジ；Ｃ．Ｉ．Ｐｉｇｍｅｎｔ  Ｇｒｅｅｎ７、３６、５４等のグリーン；Ｃ．Ｉ．Ｐｉｇｍｅｎｔ  Ｂｌａｃｋ  １等のブラックの各色の顔料が挙げられる。
【００１８】
体質顔料としては、例えば、シリカ、炭酸カルシウム、タルク、クレー、硫酸バリウム、及びホワイトカーボン等が挙げられる。体質顔料は、他の着色剤と併用されることが多い。
【００１９】
分散染料としては、公知の分散染料が挙げられる。それらの中ではＣ．Ｉ．Ｄｉｓｐｅｒｓから選択される染料が好ましい。その具体例としては、例えば、Ｃ．Ｉ．Ｄｉｓｐｅｒｓ  Ｙｅｌｌｏｗ９、２３、３３、４２、４９、５４、５８、６０、６４、６６、７１、７６、７９、８３、８６、９０、９３、９９、１１４、１１６、１１９、１２２、１２６、１４９、１６０、１６３、１６５、１８０、１８３、１８６、１９８、２００、２１１、２２４、２２６、２２７、２３１、２３７等のイエロー；Ｃ．Ｉ．Ｄｉｓｐｅｒｓ  Ｒｅｄ  ６０、７３、８８、９１、９２，１１１、１２７、１３１、１４３、１４５、１４６、１５２、１５３、１５４、１６７、１７９、１９１、１９２、２０６、２２１、２５８、２８３等のレッド；Ｃ．Ｉ．Ｄｉｓｐｅｒｓ  Ｏｒａｎｇｅ  ９、２５、２９、３０、３１、３２、３７、３８、４２、４４、４５、５３、５４、５５、５６、６１、７１、７３、７６、８０、９６、９７等のオレンジ；Ｃ．Ｉ．Ｄｉｓｐｅｒｓ  Ｖｉｏｌｅｔ  ２５、２７、２８、５４、５７、６０、７３、７７、７９、７９：１等のバイオレット；Ｃ．Ｉ．Ｄｉｓｐｅｒｓ  Ｂｌｕｅ  ２７、５６、６０、７９：１、８７、１４３、１６５、１６５：１、１６５：２、１８１、１８５、１９７、２０２、２２５、２５７、２６６、２６７、２８１、３４１、３５３、３５４、３５８、３６４、３６５、３６８等のブルーの各色の分散染料が挙げられる。
また、溶剤染料としてはＣ．Ｉ．Ｓｏｌｖｅｎｔから選択される染料が好ましい。
【００２０】
前記インクの総質量に対する着色剤の含有量は、通常１〜３０％、好ましくは１〜１０％、より好ましくは２〜７％である。
また、着色剤の平均粒径は通常５０ｎｍ〜２５０ｎｍ、好ましくは６０ｎｍ〜２００ｎｍである。本明細書において平均粒径とは、レーザ光散乱法を用いて測定した粒子の平均粒径を言う。
【００２１】
［分散剤］
前記の分散剤は、水不溶性の着色剤を、水性インク中に分散するために使用する。分散剤としては特に制限されないが、好ましくはＡブロック及びＢブロックの２つのブロックから構成されるＡ−Ｂブロックポリマーであり、より好ましくは水不溶性のＡ−Ｂブロックポリマーである。ここでいう「水不溶性」とは、２５℃の水１リットルに対する溶解度が通常５ｇ以下、好ましくは３ｇ以下、より好ましくは１ｇ以下、さらに好ましくは０．５ｇ以下の分散剤を意味する。溶解度の下限は０ｇを含む。そのようなＡ−Ｂブロックポリマーとしては、例えば、国際公開２０１３／１１５０７１号ガゼットが開示するリビングラジカル重合法により得られるＡ−Ｂブロックポリマーが好ましい。また、このガゼットがＡ−Ｂブロックポリマー及びその合成方法として好ましい、及びより好ましい等として開示する内容は、前記の分散剤においても同様の意味を有する。
前記のうち、Ａブロックはベンジルメタクリレートから構成されるのが好ましい。また、Ｂブロックはアルキルメタクリレート及びメタクリル酸から構成されるのが好ましい。アルキルメタクリレートとしては、アルキル部分が直鎖、又は分岐鎖のアルキルメタクリレートが挙げられ、直鎖のアルキルメタクリレートが好ましい。アルキル部分の炭素数は通常Ｃ３−Ｃ８、好ましくはＣ３−Ｃ６、特に好ましくはＣ４である。
前記の分散剤は、例えば国際公開２０１３／１１５０７１号ガゼットが開示する合成方法により得ることができる。
【００２２】
前記の分散剤の酸価は通常９０〜２００ｍｇＫＯＨ／ｇ、好ましくは１００〜１５０ｍｇＫＯＨ／ｇ、より好ましくは１００〜１２０ｍｇＫＯＨ／ｇである。
分散剤の重量平均分子量は通常１００００〜６００００、好ましくは１００００〜４００００、より好ましくは１５０００〜３００００である。
着色剤の総質量に対する分散剤の使用比率は通常０．１〜１．０、好ましくは０．１〜０．６、より好ましくは０．２〜０．５である。
【００２３】
［グリコールエーテル］
グリコールエーテルとしては、モノ、ジ又はトリＣ２−Ｃ４アルキレングリコールモノアルキルエーテルが挙げられる。好ましくはモノ、ジ又はトリＣ２−Ｃ３アルキレングリコールモノＣ１−Ｃ６アルキルエーテル、より好ましくはモノ又はジＣ２−Ｃ３アルキレングリコールモノＣ１−Ｃ６アルキルエーテル、さらに好ましくはモノ又はジＣ２−Ｃ３アルキレングリコールモノＣ１−Ｃ４アルキルエーテル、特に好ましくはジＣ２−Ｃ３アルキレングリコールモノＣ１−Ｃ４アルキルエーテルである。これらのアルキル部分は直鎖又は分岐鎖が好ましく、直鎖がより好ましい。その具体例としては、例えば、エチレングリコールモノメチルエーテル、エチレングリコールモノエチルエーテル、エチレングリコールモノブチルエーテル、エチレングリコールモノアリルエーテル、エチレングリコールモノイソプロピルエーテル等のモノＣ２アルキレングリコールモノＣ１−Ｃ６アルキルエーテル；ジエチレングリコールモノメチルエーテル、ジエチレングリコールモノエチルエーテル、ジエチレングリコールモノブチルエーテル（ブチルジグリコール）等のジＣ２アルキレングリコールモノＣ１−Ｃ６アルキルエーテル；トリエチレングリコールモノメチルエーテル、トリエチレングリコールモノエチルエーテル、トリエチレングリコールモノブチルエーテル等のトリＣ２アルキレングリコールモノＣ１−Ｃ６アルキルエーテル；及び、プロピレングリコールモノプロピルエーテル等のモノＣ３アルキレングリコールモノＣ１−Ｃ６アルキルエーテル等が挙げられる。これらのグリコールエーテルは１種類を使用することも、２種類以上を併用することもできる。
これらの中ではエチレングリコールモノエチルエーテル、エチレングリコールモノブチルエーテル、ジエチレングリコールモノエチルエーテル、及びジエチレングリコールモノブチルエーテルから選択されるグリコールエーテルが好ましく、ジエチレングリコールモノエチルエーテル、及びジエチレングリコールモノブチルエーテルから選択されるグリコールエーテルがより好ましく、ジエチレングリコールモノブチルエーテルがさらに好ましい。
インクの総質量に対するグリコールエーテルの含有量は通常１３％より多く４０％以下、好ましくは１４％〜４０％である。グリコールエーテルの量が１３％よりも多いとき、記録メディアに付着させたインクのドット径を大きくすることができ、４０％以下のとき、良好な吐出性と保存安定性が得られる。
【００２４】
［式（１）で表される化合物］
前記式（１）中、Ｒ１におけるヒドロキシ基を有するアルコキシ基としては、通常ヒドロキシＣ１−Ｃ６アルコキシ、好ましくはヒドロキシＣ１−Ｃ４アルコキシ、より好ましくはヒドロキシＣ２−Ｃ４アルコキシの各基が挙げられる。そのアルコキシ部分としては、直鎖、分岐鎖又は環状のアルコキシが挙げられ、直鎖又は分岐鎖のものが好ましく、直鎖のものがより好ましい。その具体例としては、ヒドロキシメトキシ、２−ヒドロキシエトキシ、２−ヒドロキシ−ｎ−プロポキシ、３−ヒドロキシ−ｎ−プロポキシ、２−ヒドロキシ−ｎ−ブトキシ、３−ヒドロキシ−ｎ−ブトキシ、４−ヒドロキシ−ｎ−ブトキシ、２−ヒドロキシ−ｎ−ペントキシ、３−ヒドロキシ−ｎ−ペントキシ、４−ヒドロキシ−ｎ−ペントキシ、５−ヒドロキシ−ｎ−ペントキシ、２−ヒドロキシ−ｎ−ヘキシロキシ、３−ヒドロキシ−ｎ−ヘキシロキシ、４−ヒドロキシ−ｎ−ヘキシロキシ、５−ヒドロキシ−ｎ−ヘキシロキシ、６−ヒドロキシ−ｎ−ヘキシロキシ等の直鎖のもの；２−ヒドロキシイソプロポキシ、２−ヒドロキシイソブトキシ、３−ヒドロキシイソブトキシ、２−ヒドロキシイソペントキシ、３−ヒドロキシイソペントキシ、４−ヒドロキシイソペントキシ、２−ヒドロキシイソヘキシロキシ、３−ヒドロキシイソヘキシロキシ、４−ヒドロキシイソヘキシロキシ、５−ヒドロキシイソヘキシロキシ等の分岐鎖のもの；２−ヒドロキシシクロプロポキシ、２−ヒドロキシシクロブトキシ、３−ヒドロキシシクロブトキシ、２−ヒドロキシシクロペントキシ、３−ヒドロキシシクロペントキシ、２−ヒドロキシシクロヘキシロキシ、３−ヒドロキシシクロヘキシロキシ、４−ヒドロキシシクロヘキシロキシ等の環状のもの；等が挙げられる。これらの中では２−ヒドロキシエトキシが好ましい。
【００２５】
Ｒ１におけるアシロキシ基としては、直鎖、分岐鎖又は環状の通常Ｃ１−Ｃ６アシロキシ、好ましくはＣ１−Ｃ５アシロキシ、より好ましくはＣ２−Ｃ５アシロキシの各基が挙げられる。これらの中では直鎖のものが好ましい。また、アシロキシ部分のエステルカルボニル以外に、さらに１つのカルボニル基を有するアシロキシ基が好ましい。その具体例としては、メチルカルボニルオキシ、エチルカルボニルオキシ、ｎ−プロピルカルボニルオキシ、ｎ−ブチルカルボニルオキシ、ｎ−ペンチルカルボニルオキシ等の直鎖のもの；イソプロピルカルボニルオキシ、イソブチルカルボニルオキシ、ｔ−ブチルカルボニルオキシ、イソペンチルカルボニルオキシ、１−エチルプロピルカルボニルオキシ、１，１−ジメチルプロピルカルボニルオキシ、２，２−ジメチルプロピルカルボニルオキシ等の分岐鎖のもの；シクロペンチルカルボニルオキシ、シクロブチルカルボニルオキシ、シクロペンチルカルボニルオキシ等の環状のもの；１−オキソエチルカルボニルオキシ、２−オキソプロピルカルボニルオキシ、２−オキソブチルカルボニルオキシ、３−オキソブチルカルボニルオキシ、２−オキソペンチルカルボニルオキシ、３−オキソペンチルカルボニルオキシ、４−オキソペンチルカルボニルオキシ等の、さらに１つのカルボニル基を有するもの；等が挙げられる。これらの中では１−オキソエチルカルボニルオキシ、３−オキソブチルカルボニルオキシが好ましい。
【００２６】
Ｒ１におけるアリールカルボニルオキシ基としては、通常Ｃ６−Ｃ１２アリールカルボニルオキシが挙げられる。具体例としては、フェニルカルボニルオキシ、ナフチルカルボニルオキシ、ビフェニルカルボニルオキシ等が挙げられ、これらの中ではフェニルカルボニルオキシが好ましい。
【００２７】
前記のうち、Ｒ１としてはヒドロキシ基又はヒドロキシ基を有するアルコキシ基が好ましく、ヒドロキシ基がより好ましい。
【００２８】
Ｒ２乃至Ｒ５におけるアルキル基としては、通常Ｃ１−Ｃ６、好ましくはＣ１−Ｃ４の直鎖、分岐鎖又は環状のアルキル基が挙げられる。その具体例としては、例えば、メチル、エチル、ｎ−プロピル、ｎ−ブチル、ｎ−ペンチル、ｎ−ヘキシルといった直鎖のもの；イソプロピル、イソブチル、ｓｅｃ−ブチル、ｔ−ブチル、イソペンチル、ｔ−ペンチル、イソヘキシル、ｔ−ヘキシル等の分岐鎖のもの；シクロプロピル、シクロブチル、シクロペンチル、シクロヘキシル等の環状のもの；等が挙げられる。
これらのうち、
Ｒ２としては直鎖又は分岐鎖のものが好ましく、分岐鎖のものがより好ましい。前記の中でもｎ−プロピル、イソプロピル、ｔ−ブチルが好ましく、イソプロピルが特に好ましい。
Ｒ３としては直鎖のものが好ましく、前記の中でもメチルが特に好ましい。
Ｒ４としては、直鎖又は分岐鎖のものが好ましく、前記の中でもｎ−プロピル、イソプロピル、ｔ−ブチルが好ましい。
Ｒ５としては、直鎖又は分岐鎖のものが好ましく、分岐鎖のものがより好ましい。前記の中でもエチル、ｎ−プロピル、イソプロピル、ｔ−ブチルが好ましく、イソプロピルが特に好ましい。
【００２９】
前記のうち、
Ｒ１としては、ヒドロキシ基又はヒドロキシ基を有するアルコキシ基が好ましく、ヒドロキシ基がより好ましい。
Ｒ２としては、アルキル基が好ましく、分岐鎖アルキル基がより好ましい。
Ｒ３としては、アルキル基が好ましく、直鎖アルキル基がより好ましい。
Ｒ４としては、水素原子又はヒドロキシ基が好ましい。
Ｒ５としては、分岐鎖アルキル基が好ましい。
【００３０】
前記式（１）で表される化合物の具体例を下記表１に挙げるが、本発明はこれらの具体例に何ら限定されない。また、表１中の略号等は、以下の意味を有する。
Ｐｈ：フェニル。
ｉ−Ｐｒ：イソプロピル。
ｎ−Ｐｒ：ノルマルプロピル。
ｔ−Ｂｕ：ターシャリーブチル。
Ｅｔ：エチル。
【００３１】
【表１】
2017203097.tif 000003
【００３２】
前記式（１）で表される化合物のうち、市販品としてはイーストマンケミカル社製のテキサノールが挙げられる。
【００３３】
前記インクの総質量中における、式（１）で表される化合物の含有量は、グリコールエーテルの含有量、及び、式（１）で表される化合物の溶解度等に応じて変化する。このため、一概に特定することは困難である。式（１）で表される化合物は水に溶けにくいため、通常はインク中から分離しない程度の量で使用することができる。その目安としては、例えば、通常０．５％より多く５％未満、好ましくは０．６％〜５％未満、より好ましくは０．８％〜４％、さらに好ましくは１％〜４％程度である。
また、前記インクは、式（１）で表される化合物の１種類のみを含有することも、２種類以上を併用することもできる。
【００３４】
前記の中和剤としては、例えば、アンモニア、アルカリ金属の水酸化物、アルカリ土類金属の水酸化物、脂肪族アミン化合物及びアルカノールアミン化合物等が挙げられる。これらの中ではアルカリ金属の水酸化物が好ましい。これらの中和剤は１種類を使用することも、２種類以上を併用することもできる。
【００３５】
アルカリ金属の水酸化物としては、例えば、水酸化リチウム、水酸化ナトリウム、及び水酸化カリウムが挙げられ、水酸化リチウム、及び水酸化ナトリウムが好ましい。アルカリ土類金属の水酸化物として、例えば、水酸化ベリリウム、水酸化マグネシウム、水酸化カルシウム、及び水酸化ストロンチウム等が挙げられる。
【００３６】
脂肪族アミン化合物としては、例えば、モノメチルアミン、ジメチルアミン、トリメチルアミン、モノエチルアミン、ジメチルアミン及びトリメチルアミン等の、モノ、ジ又はトリＣ１−Ｃ４アルキルアミン；好ましくはモノ、ジ又はトリＣ１−Ｃ３アルキルアミン；より好ましくはモノ、ジ又はトリＣ１−Ｃ２アルキルアミンが挙げられる。
【００３７】
アルカノールアミン化合物としては、モノ、ジ又はトリ（ヒドロキシＣ２−Ｃ４アルキル）アミン；好ましくはモノ、ジ又はトリ（ヒドロキシＣ２−Ｃ３アルキル）アミン；より好ましくはトリ（ヒドロキシＣ２−Ｃ３アルキル）アミンが挙げられる。その具体例としては、例えば、モノエタノールアミン、ジエタノールアミン、トリエタノールアミン、モノプロパノールアミン、ジプロパノールアミン、トリプロパノールアミン、メチルエタノールアミン、ジメチルエタノールアミン及びＮ−メチルジエタノールアミン等が挙げられる。
【００３８】
中和剤の使用量は特に制限されない。その目安としては、分散剤の酸価の理論等量で中和したときを１００％中和度として、通常３０〜２００％中和度、より好ましくは５０〜１２０％中和度である。
【００３９】
前記インクのｐＨは、インクの保存安定性の向上、及びインクジェットプリンタ部材の腐食の防止等を目的として通常５〜１１、好ましくは７〜１０である。
また、インクの表面張力は通常１０〜５０ｍＮ／ｍ、好ましくは２０〜４０ｍＮ／ｍである。
また、インクの粘度は通常３０ｍＰａ・ｓ以下、好ましくは２０ｍＰａ・ｓ以下、下限は０．１ｍＰａ・ｓ程度である。
【００４０】
前記インクは必要に応じ、前記以外の成分としてインク調製剤を含有することができる。インク調製剤としては水溶性有機溶剤、防腐剤、防黴剤、ｐＨ調整剤、キレート試薬、防錆剤、水溶性紫外線吸収剤、酸化防止剤、界面活性剤、ワックス剤等のインク調製剤が挙げられる。インク調製剤は、1種類を使用することも、２種類以上を併用することもできる。
【００４１】
水溶性有機溶剤としては、例えばメタノール、エタノール、プロパノール、イソプロパノール、ブタノール、イソブタノール、第二ブタノール又は第三ブタノール、１，２−ヘキサンジオール、１，６−ヘキサンジオール、トリメチロールプロパン等のＣ１−Ｃ６アルカノール；Ｎ，Ｎ−ジメチルホルムアミド又はＮ，Ｎ−ジメチルアセトアミド等のカルボン酸アミド；２−ピロリドン、Ｎ−メチル−２−ピロリドン又はＮ−メチルピロリジン−２−オン等のラクタム；１，３−ジメチルイミダゾリジン−２−オン又は１，３−ジメチルヘキサヒドロピリミド−２−オン等の環式尿素類；アセトン、２−メチル−２−ヒドロキシペンタン−４−オン、エチレンカーボネート等のケトン又はケトアルコール；テトラヒドロフラン、ジオキサン等の環状エーテル；エチレングリコール、ジエチレングリコール、１，２−プロピレングリコール、１，３−プロピレングリコール、１，２−ブチレングリコール、１，４−ブチレングリコール、１，６−ヘキシレングリコール、ジエチレングリコール、トリエチレングリコール、テトラエチレングリコール、ジプロピレングリコール、分子量４００、８００、１５４０又はそれ以上のポリエチレングリコール、ポリプロピレングリコール、チオジグリコール又はジチオジグリコール等のＣ２−Ｃ６アルキレン単位を有するモノ、オリゴ又はポリアルキレングリコール又はチオグリコール；グリセリン、ジグリセリン、ヘキサン−１，２，６−トリオール等のポリオール（トリオール）；γ−ブチロラクトン又はジメチルスルホキシド等が挙げられる。
【００４２】
防腐剤の例としては、例えば有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、又は無機塩系等の化合物が挙げられる。
また、アーチケミカル社製の商品名プロクセルＧＸＬ（Ｓ）、及びプロクセルＸＬ−２（Ｓ）等のプロクセルシリーズが好ましく挙げられる。
【００４３】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００４４】
ｐＨ調整剤は、ｐＨを前記の範囲に調整できる任意の物質を使用できる。その具体例としては、例えば、前記の中和剤；炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；及び、リン酸二ナトリウム等のアルカリ金属のリン酸塩等が挙げられる。
【００４５】
キレート試薬の具体例としては、例えばエチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、及びウラシル二酢酸ナトリウム等が挙げられる。
【００４６】
防錆剤の具体例としては、例えば、酸性亜硫酸塩、チオ硫酸ナトリウム、チオグリコール酸アンモニウム、ジイソプロピルアンモニウムナイトライト、四硝酸ペンタエリスリトール、及びジシクロヘキシルアンモニウムナイトライト等が挙げられる。
【００４７】
水溶性紫外線吸収剤の例としては、例えばスルホ化されたベンゾフェノン系化合物、ベンゾトリアゾ−ル系化合物、サリチル酸系化合物、桂皮酸系化合物、及びトリアジン系化合物が挙げられる。
【００４８】
酸化防止剤の例としては、例えば、各種の有機系及び金属錯体系の褪色防止剤を使用することができる。前記有機系の褪色防止剤の例としては、ハイドロキノン類、アルコキシフェノール類、ジアルコキシフェノール類、フェノール類、アニリン類、アミン類、インダン類、クロマン類、アルコキシアニリン類、及び複素環類等が挙げられる。
【００４９】
界面活性剤の例としては、例えばアニオン、カチオン、ノニオン、両性、シリコーン系、フッ素系等の、公知の界面活性剤が挙げられる。これらの中ではノニオン、及びシリコーン系から選択される界面活性剤が好ましく、シリコーン系がより好ましい。
アニオン界面活性剤としてはアルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテルリン酸塩、ロジン酸石鹸、ヒマシ油硫酸エステル塩、ラウリルアルコール硫酸エステル塩、アルキルフェノール型リン酸エステル、アルキル型リン酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００５０】
カチオン界面活性剤としては２−ビニルピリジン誘導体、ポリ４−ビニルピリジン誘導体等が挙げられる。
【００５１】
ノニオン界面活性剤としてはポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系、及びそれらのＣ２−Ｃ４アルキレンオキシ付加物；ポリグリコールエーテル系等が挙げられる。
【００５２】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００５３】
シリコーン系界面活性剤としては、ポリエーテル変性シロキサン、ポリエーテル変性ポリジメチルシロキサン等が挙げられる。その一例としては、エアープロダクツ社製のダイノール９６０、ダイノール９８０、日信化学株式会社製のシルフェイスＳＡＧ００１、シルフェイスＳＡＧ００２、シルフェイスＳＡＧ００３、シルフェイスＳＡＧ００５、シルフェイスＳＡＧ５０３Ａ、シルフェイスＳＡＧ００８、シルフェイスＳＡＧ００９、シルフェイスＳＡＧ０１０、及びビックケミー社製のＢＹＫ−３４５、ＢＹＫ−３４７、ＢＹＫ−３４８、ＢＹＫ−３４９、ＢＹＫ−３４５５等が挙げられる。これらの中では、ビックケミー社製のＢＹＫシリーズ等で知られるポリエーテル変性シロキサンが好ましい。
【００５４】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。フッ素系界面活性剤は、例えばＤｕＰｏｎｔ社、オムノバ社、ＤＩＣ株式会社、及びビックケミー社等から、様々な種類の製品を容易に購入することができる。
【００５５】
前記インクを調製するときは、公知の分散インクの製造方法を使用することができる。その一例としては、例えば、着色剤と分散剤とから水性の分散液を調製し、この分散液にグリコールエーテル、及び必要に応じてインク調製剤を加えて混合することにより、インクを調製する方法が挙げられる。
水不溶性の分散剤により着色剤を分散する方法としては、例えば、転相乳化法が挙げられる。すなわち、２−ブタノン等の有機溶剤に分散剤を溶解し、中和剤の水溶液を加えて乳化液を調製する。得られた乳化液に着色剤を加えて分散処理を行う。このようにして得られた液から有機溶剤と一部の水を減圧留去することにより、目的とする着色剤の分散液を得ることができる。
分散処理としては、例えば、着色剤と分散剤とをサンドミル（ビーズミル）、ロールミル、ボールミル、ペイントシェーカー、超音波分散機、マイクロフルイダイザー等に入れて、分散を行う方法が挙げられる。一例として、サンドミルを用いるときは、粒子径が０．０１ｍｍ〜１ｍｍ程度のビーズを使用し、ビーズの充填率を適宜設定して分散処理を行うことができる。
前記のようにして得られた分散液に対して、ろ過及び／又は遠心分離等の操作をすることができる。この操作により、分散液が含有する粒子の粒子径の大きさを揃えることができる。
【００５６】
前記インクをインクジェットインクとして使用するときは、金属陽イオンの塩化物（例えば塩化ナトリウム）、及び硫酸塩（例えば硫酸ナトリウム）等の無機不純物の含有量の少ないインクが好ましい。このような無機不純物は、市販品の着色剤に含まれることが多い。無機不純物含有量の目安は、おおよそ着色剤の総質量に対して１質量％以下程度であり、下限は分析機器の検出限界以下、すなわち０％でよい。無機不純物の少ない着色剤を得る方法としては、例えば、逆浸透膜を用いる方法；着色剤の固体をメタノール等のＣ１−Ｃ４アルコール及び水の混合溶媒中で懸濁撹拌し、着色体を濾過分離して、乾燥する方法；又は、イオン交換樹脂で無機不純物を交換吸着する方法；等の脱塩処理が挙げられる。このような方法により、着色剤の総質量に対する無機不純物の含有量を１％以下とするのが好ましい。下限は検出機器の検出限界以下、すなわち０％とすることができる。
また、前記インクをインクジェットインクとして使用するときは、インクを精密濾過することが好ましい。精密濾過をするときは、メンブランフィルター及び／又はガラス濾紙等を用いることができる。精密濾過を行うときのフィルター等の孔径は通常０．５μｍ〜２０μｍ、好ましくは０．５μｍ〜１０μｍである。
【００５７】
前記インクは、各種の記録・印刷分野に使用することができる。例えば、筆記、印刷、情報記録、捺染等の用途に好適である。特に、インクジェット記録に用いることが好ましい。
【００５８】
前記インクジェット記録方法は、前記インクの液滴を記録信号に応じて吐出させて、記録メディアに付着させることにより記録を行う方法である。インクの吐出を行うインクジェットプリンタのインクノズル等については特に制限はなく、目的に応じて適宜選択することができる。
インクジェット記録方法としては、インク中の着色剤の含有量の低いインクを小さい体積で多数射出して画質を改良する方法；実質的に同じ色相で、インク中の着色剤の含有量が異なる複数のインクを用いて画質を改良する方法；及び、無色透明のインクと、着色剤を含有するインクとを併用することにより、記録メディアに対する着色剤の定着性を向上させる方法等も挙げられる。前記インクは、これらの方法においても着色剤を含有するインクとして使用することができる。
【００５９】
インクジェット記録方式は、公知の方式を使用できる。その一例としては、例えば、電荷制御方式、ドロップオンデマンド方式（圧力パルス方式ともいう。）、音響インクジェット方式、サーマルインクジェット方式等が挙げられる。
【００６０】
前記記録メディアは、前記インクにより着色される物質であれば特に制限されない。その一例としては、インク受容層を有する紙、及び繊維等の記録メディア；及び、インク受容層を有さないインク難吸収性、及びインク非吸収性の記録メディアが挙げられる。これらの記録メディアはいずれも好ましい。
ここで、インク難吸収性、及び非吸収性の記録メディアに対して、通常の水性インクで記録を行うと、インクの吸収が困難であるためにモットリングを生じたり、インクがはじかれる現象が生じる。一方、前記インクはそのような記録メディアに対してもインクがはじかれることなく記録を行うことができる。このため、記録メディアとしてはインク難吸収性、及び非吸収性が好ましく、インク非吸収性が特に好ましい。インク難吸収性の記録メディアとしては、例えば普通紙、グラビア印刷やオフセット印刷等に用いられるメディア、アート紙、コート紙、マット紙、キャスト紙等が挙げられる。また、インク非吸収性の記録メディアとしては塩化ビニルシート、高分子シート、ガラス、ゴム等が挙げられる。
【００６１】
前記インクジェット記録方法で記録メディアに記録するときは、例えば前記インクを含有する容器（インクタンク等という。）をインクジェットプリンタの所定の位置に装填し、前記の記録方法で記録メディアに記録する。
前記インクジェット記録方法は、前記カラーインクから選択される複数のインクのインクセットとして、フルカラーの記録ができる。そのときは、各色のインクを含有する容器を前記と同様にインクジェットプリンタの所定の位置に装填し、前記の記録方法で記録メディアに記録する。
【００６２】
前記の全ての内容について、好ましいもの同士の組み合わせはより好ましく、より好ましいもの同士の組み合わせはさらに好ましい。好ましいものとより好ましいものとの組み合わせ、より好ましいものとさらに好ましいものとの組み合わせについても同様である。
【００６３】
本発明のインクは実質的に水を含有する水性インクであり、インクジェット専用紙等のインク受容層を有する記録メディア、及びインク受容層を有さない汎用普通紙、インク難吸収性、及びインク非吸収性の記録メディア等のいずれを使用しても、はじきのない高画質な記録画像を得ることができる。
また、本発明のインクにより得られた記録画像のインクのドット径は、通常のインクにより得られた記録画像のドット径よりも大きい。このため、複数のパスで印刷することなく、１パスの印刷でも効率よくベタ印刷が行えることから、本発明のインクを使用すると印刷時間、及びインクの消費量の両方を低減することができる。この効果は、産業用途において特に有用である。また、ドット径が小さいために複数のパスでベタ印刷を行うと、インクの使用量が増加するため記録画像がモットリング及び／又は粒状感を生じることがある。しかし、本発明のインクにより得られる記録画像は、そのような現象を生じることもない。
また、本発明のインクにより得られた記録画像は耐擦過性に優れ、記録メディア上でのインクドットの真円度が高く、平滑性があり、光沢感を損なわない画像が得られる。さらに、耐水性、耐光性、耐熱性、耐酸化ガス（例えば耐オゾンガス）性等の各種堅牢性に優れた記録画像を得ることができる。
【実施例】
【００６４】
以下、本発明を実施例によって具体的に説明するが、本発明は、以下の実施例によって限定されるものではない。また、各合成反応等の操作は、特に断りのない限りいずれも攪拌下にて行った。
実施例において、分散液中の顔料固形分の定量が必要なときは、株式会社エイ・アンド・デイ社製のＭＳ−７０を用い、乾燥重量法により求めた。
【００６５】
［分散液１の調製］
国際公開第２０１３／１１５０７１号の合成例３に記載のブロック共重合体を調製し、以下、これを分散剤として用いた。得られた分散剤６部を２−ブタノン３０部に溶解して溶液とした。この溶液に、０．４４ｇの水酸化ナトリウムを４１部のイオン交換水に溶解させた液を加え、１時間攪拌することにより乳化液を調製した。得られた液と、Ｃ．Ｉ．Ｐｉｇｍｅｎｔ  Ｂｌｕｅ  １５：３（大日精化工業社製シアニンブルー  Ａ２２０Ｊ）２０部をサンドグラインダー中に加え、１５００ｒｐｍの条件下で１５時間分散処理を行って液を得た。得られた液にイオン交換水１００部を滴下した後、この液をろ過して分散用ビーズをろ別した。エバポレータでろ液から２−ブタノン、及び水の一部を減圧留去することにより、顔料固形分が１１．９％のシアン分散液を得た。これを「分散液１」とする。
【００６６】
［インクの調製］
下記表２に記載の各成分を混合した後、３μｍのメンブランフィルターでろ過することにより、評価試験用の各実施例、及び比較例のインクを得た。
【００６７】
【表２】
2017203097.tif 000004
【００６８】
[ドット径の測定]
各実施例及び比較例のインクを、セイコーエプソン社製インクジェットプリンタ、商品名  ＰＸ２０５にてポリ塩化ビニルシート（メタマーク社製）に１０％Ｄｕｔｙ画像としてベタ印刷を行い、記録画像を得た。得られた記録画像を室温で２４時間静置し、これを評価試験用の試験片とした。
得られた各試験片のドット径を、光学顕微鏡（ＶＨＸ−１０００、キーエンス社製）にて測定した。測定結果を下記表３に示す。
但し、比較例５のインクは吐出性が悪く、多数のピン欠けが発生し均一なベタ画像が得られなかった。このため、ドット径の測定は行わなかった。
【００６９】
【表３】
2017203097.tif 000005
【００７０】
表３の結果から明らかなように、実施例のインクは比較例２のインクと比較して２倍以上、比較例１のインクと比較しても約１．２〜２倍もドット径の大きい記録画像が得られることが確認された。
【産業上の利用可能性】
【００７１】
本発明のインクによりドット径の大きい記録画像を得られる。すなわち、本発明のインクを使用すると印刷時間、及びインクの消費量の両方を低減することができる。このため、本発明のインクは各種の記録用インク、特にインクジェットインクとして極めて有用である。